(57)【要約】【課題】２種類以上の光記録媒体に対して記録、再生、消去のいずれかまたは全てを行うことが可能で且つ小型な光ピックアップ装置を実現する。【解決手段】本発明の光ピックアップ装置は、複数の光源１０１，２０１を備え、第一のカップリングレンズ１０２は第一の光源１０１からの発散光を所定の発散角にカップリングさせるパワーを有し、第二のカップリングレンズ２０２は、第一のカップリングレンズ１０２と２群２枚のレンズ系をなし、第二の光源２０１からの発散光を所定の発散角にカップリングさせるパワーを有する構成であり、第一の光学系のカップリング効率を満足する第一のカップリングレンズを第二の光学系と共通化することにより光学系を小型化することができ、第二のカップリングレンズにより第二の光学系のカップリング効率を満足させることにより、複数光源で記録・再生可能な小型な光ピックアップ装置を実現できる。【選択図】              図１
2004164803.tif 000002
【特許請求の範囲】
【請求項１】
光源からの光束を光記録媒体の記録面に集光して情報の記録または再生または消去を行う光情報記録再生装置の光ピックアップ装置において、
複数の光源を備え、第一のカップリングレンズは第一の光源からの発散光を所定の発散角にカップリングさせるパワーを有し、第二のカップリングレンズは、第一のカップリングレンズと２群２枚のレンズ系をなし、第二の光源からの発散光を所定の発散角にカップリングさせるパワーを有することを特徴とする光ピックアップ装置。
【請求項２】
請求項１記載の光ピックアップ装置において、
第二のカップリングレンズは、第一のカップリングレンズと２群２枚のレンズ系をなし、第二の光源からの発散光を平行光にコリメートすることを特徴とする光ピックアップ装置。
【請求項３】
請求項１または２記載の光ピックアップ装置において、
第二のカップリングレンズの第一面と第二面の少なくとも一方が球面であることを特徴とする光ピックアップ装置。
【請求項４】
請求項１〜３のいずれか一つに記載の光ピックアップ装置において、
光源と受光素子が単一ユニット内に構成されている光源ユニットを用いることを特徴とする光ピックアップ装置。
【請求項５】
請求項１〜４のいずれか一つに記載の光ピックアップ装置において、
第一の光源の波長が最も短いことを特徴とする光ピックアップ装置。
【請求項６】
光源からの光束を光記録媒体の記録面に集光して情報の記録または再生または消去を行う光情報記録再生装置において、
請求項１〜５のいずれか一つに記載の光ピックアップ装置を搭載したことを特徴とする光情報記録再生装置。
【発明の詳細な説明】
【０００１】
【発明の属する技術分野】
本発明は、規格の異なる複数の光記録媒体に対して情報の記録または再生または消去を行うことができる光ピックアップ装置、およびその光ピックアップ装置を搭載した光情報記録再生装置に関する。
【０００２】
【従来の技術】
光記録媒体として、従来から知られたＣＤ（コンパクト・ディスク）系の光ディスク（ＣＤ，ＣＤ−ＲＯＭ，ＣＤ−Ｒ，ＣＤ−ＲＷ等）の他に、より高い記録密度を達成したＤＶＤ（デジタル・バーサタイル・ディスク）系の光ディスク（ＤＶＤ，ＤＶＤ−ＲＯＭ，ＤＶＤ−Ｒ，ＤＶＤ−ＲＷ，ＤＶＤ−ＲＡＭ，Ｓ−ＤＶＤ等）が実用化されており、これら光記録媒体を用いる音楽、映像、情報等の再生用の光ディスクドライブ装置の他、ビデオディスクレコーダや、パーソナルコンピュータ等の外部記憶装置として、記録・再生用の光情報記録再生装置も実用化されている。
【０００３】
また、ＣＤ系とＤＶＤ系では、光源の使用波長や基板の厚さなどの規格が異なるが、このような規格の異なる光ディスクでも、同一の光ディスクドライブ装置で記録・再生できることが一般的に望まれることである。このため、規格の異なる複数の光ディスクに対して情報の記録または再生または消去を行うことができる光ピックアップ装置や、その光ピックアップ装置を搭載した光情報記録再生装置（光ディスクドライブ装置）の提案が種々なされている（例えば、下記の特許文献１〜３等）。
【０００４】
【特許文献１】
特開２００１−１９５７６９号公報
【特許文献２】
特許第２７１３２５７号公報
【特許文献３】
特開平１１−１３４７０６号公報
【０００５】
【発明が解決しようとする課題】
ＣＤ系の光ディスクとＤＶＤ系の光ディスクのように、規格の異なる光ディスクでも、同一の光ディスクドライブ装置で記録・再生できることが一般的に望まれることである。
ここで、規格の異なる２種類の光ディスクに対して情報の記録または再生または消去を行うことができる光情報記録再生装置（光ディスクドライブ装置）に搭載される光ピックアップ装置の一例として、図４に２波長を用いた光ピックアップ装置の構成例を示す。
【０００６】
図４において、この光ピックアップ装置は波長の異なる２つの光源を備えており、第一の光源である半導体レーザー（ＬＤ１）３０１から出射した発散光は、第一のコリメートレンズ（ＣＬ１）３０２で略平行光とされ、第一のビームスプリッタ（ＢＳ１）３０３および第二のビームスプリッタ（ＢＳ２）３０４を透過し、偏向プリズム（ＤＰ）３０５で光路を４５度偏向され、対物レンズ（ＯＬ）３０６に入射し、第一の光源（ＬＤ１）３０１で記録・再生されるべき第一の光ディスク３０７の透明基板を透過し記録面上に微小スポットとして集光される。そして、その集光されたスポットにより、情報の再生、記録あるいは消去が行われる。第一の光ディスク３０７の記録面で反射した光束は、対物レンズ（ＯＬ）３０６により再び略平行光とされ、偏向プリズム（ＤＰ）３０５で偏向され、第二のビームスプリッタ（ＢＳ２）３０４で反射され、第三のビームスプリッタ（ＢＳ３）３０８を透過し、第一の集光レンズ（ＤＬ１）３０９で集光されて第一の受光素子（ＰＤ１）３１０に至る。第一の受光素子（ＰＤ１）３１０からは、情報信号、サーボ信号（フォーカス・サーボ信号、トラック・サーボ信号）が検出される。
【０００７】
次に、第二の光源である半導体レーザー（ＬＤ２）４０１から出射した発散光は、第二のコリメートレンズ（ＣＬ２）４０２で略平行光とされ、第一のビームスプリッタ（ＢＳ１）３０３で反射され、第二のビームスプリッタ（ＢＳ２）３０４を透過し、偏向プリズム（ＤＰ）３０５で光路を４５度偏向され、対物レンズ（ＯＬ）３０６に入射し、第二の光源（ＬＤ２）４０１で記録・再生されるべき第二の光ディスク４０７の透明基板を透過し記録面上に微小スポットとして集光される。そして、その集光されたスポットにより、情報の再生、記録あるいは消去が行われる。第二の光ディスク４０７の記録面で反射した光束は、対物レンズ（ＯＬ）３０６により再び略平行光とされ、偏向プリズム（ＤＰ）３０５で偏向され、第二のビームスプリッタ（ＢＳ２）３０４で反射され、第三のビームスプリッタ（ＢＳ３）３０８で反射され、第二の集光レンズ（ＤＬ２）４０９で集光されて第二の受光素子（ＰＤ２）４１０に至る。第二の受光素子（ＰＤ２）４１０からは、情報信号、サーボ信号（フォーカス・サーボ信号、トラック・サーボ信号）が検出される。
【０００８】
ところで、規格の異なる２種類の光記録媒体がＣＤ系とＤＶＤ系の光ディスクの場合、波長依存性の強いＣＤ−Ｒが世の中に認知されているため、両者を同一の光ディスクドライブ装置でアクセスする場合、ＣＤ系用の波長７９０ｎｍ近傍の近赤外半導体レーザー（ＬＤ）とＤＶＤ系用の波長６６０ｎｍ近傍の赤色ＬＤが必要となり、それぞれに対応する光学系が必要となるため、光学系が大きくなるという不具合があった。特に、ＣＤ系，ＤＶＤ系とも記録するタイプの光ピックアップ装置においては、記録パワーの要求から、ＬＤ出射光を直接対物レンズに取りこむ構成は現実的ではなく、図４に示すように、必要光量が得られるようにカップリングするためのコリメートレンズ３０２，４０２が両方の光学系に必要となり、また、光路を合成、分離するための光学部品（ＢＳ１〜３等）の数も増え、小型化の妨げになっていた。
【０００９】
本発明は上記事情に鑑みなされたものであり、ＤＶＤ系やＣＤ系の光ディスクなどの光記録媒体に加え、今後出現するであろう青色レーザーを用いる光記録媒体を含む、２種類以上の光記録媒体に対して記録または再生または消去のいずれかまたは全てを行うことが可能な光ピックアップ装置を提供すること、およびその光ピックアップ装置を小型化することを目的とする。また、その小型な光ピックアップ装置を搭載した光情報記録再生装置を提供することを目的とする。
【００１０】
【課題を解決するための手段】
上記目的を達成するため、請求項１に係る発明は、光源からの光束を光記録媒体の記録面に集光して情報の記録または再生または消去を行う光情報記録再生装置の光ピックアップ装置において、複数の光源を備え、第一のカップリングレンズは第一の光源からの発散光を所定の発散角にカップリングさせるパワーを有し、第二のカップリングレンズは、第一のカップリングレンズと２群２枚のレンズ系をなし、第二の光源からの発散光を所定の発散角にカップリングさせるパワーを有することを特徴とするものであり、このように、第一の光学系のカップリング効率を満足する第一のカップリングレンズを第二の光学系と共通化することにより光学系を小型化することができ、第二のカップリングレンズにより、第二の光学系のカップリング効率を満足させることにより、複数光源で記録・再生可能な小型な光ピックアップ装置を提供することが可能となる。
【００１１】
請求項２に係る発明は、請求項１記載の光ピックアップ装置において、第二のカップリングレンズは、第一のカップリングレンズと２群２枚のレンズ系をなし、第二の光源からの発散光を平行光にコリメートすることを特徴とするものであり、このように、第二の光源からの発散光を平行光にコリメートすることにより、設計の自由度を広げることが可能となる。
【００１２】
請求項３に係る発明は、請求項１または２記載の光ピックアップ装置において、第二のカップリングレンズの第一面と第二面の少なくとも一方が球面であることを特徴とするものであり、このように、第二のカップリングレンズの第一面と第二面の少なくとも一方が球面である構成とすることにより、第一と第二のカップリングレンズの光軸ずれ許容値を広げることが可能となる。
【００１３】
請求項４に係る発明は、請求項１〜３のいずれか一つに記載の光ピックアップ装置において、光源と受光素子が単一ユニット内に構成されている光源ユニットを用いることを特徴とするものであり、このように、光源と受光素子が単一ユニット内に構成されている光源ユニットを用いることにより、光ピックアップ装置をより小型化することが可能となる。
【００１４】
請求項５に係る発明は、請求項１〜４のいずれか一つに記載の光ピックアップ装置において、第一の光源の波長が最も短いことを特徴とするものであり、このように、第一の光源の波長を最も短くして、精度の厳しい短波長側の光学系の部品点数を少なくすることにより、短波長側の光学系の特性劣化を抑制することが可能となる。
【００１５】
請求項６に係る発明は、光源からの光束を光記録媒体の記録面に集光して情報の記録または再生または消去を行う光情報記録再生装置において、請求項１〜５のいずれか一つに記載の光ピックアップ装置を搭載したことを特徴とするものであり、このように、複数光源で記録・再生可能であり且つ小型の光ピックアップ装置を搭載することにより、既存の資産（ＣＤ、ＤＶＤ互換機等のメカ）を生かせるドライブ設計が可能となる。
【００１６】
【発明の実施の形態】
以下、本発明の構成、動作および作用を、図示の実施例に基づいて詳細に説明する。
【００１７】
（実施例１）
図１は本発明の第一の実施例を示す図であり、規格の異なる２種類の光ディスクに対して情報の記録または再生または消去を行うことができる光情報記録再生装置（光ディスクドライブ装置）に搭載される２波長を用いた光ピックアップ装置の概略構成図である。
図１において、この光ピックアップ装置は波長の異なる２つの光源を備えており、第一の光源である半導体レーザー（ＬＤ１）１０１から出射した発散光は、第一のビームスプリッタ（ＢＳ１）１０３を透過し、第一のカップリングレンズ（ＣＬ１）１０２で所定の発散光（または収束光）に変換され、第二のビームスプリッタ（ＢＳ２）１０４を透過し、偏向プリズム（ＤＰ）１０５で光路を４５度偏向され、対物レンズ（ＯＬ）１０６に入射し、第一の光源（ＬＤ１）１０１で記録・再生されるべき第一の光ディスク１０７の透明基板を透過し記録面上に微小スポットとして集光される。ここで、対物レンズ（ＯＬ）１０６は前記所定の発散光（または収束光）に対して最適化されており、その対物レンズ（ＯＬ）１０６により集光されたスポットにより情報の再生、記録あるいは消去が行われる。第一の光ディスク１０７の記録面で反射した光束は、対物レンズ（ＯＬ）１０６により再び所定の発散光（または収束光）とされ、偏向プリズム（ＤＰ）１０５で偏向され、第二のビームスプリッタ（ＢＳ２）１０４で反射され、集光レンズ（ＤＬ）１０８で集光されて受光素子（ＰＤ）１０９に至る。受光素子（ＰＤ）１０９からは、情報信号、サーボ信号（フォーカス・サーボ信号、トラック・サーボ信号）が検出される。
【００１８】
次に、第二の光源である半導体レーザー（ＬＤ２）２０１から出射した発散光は、第二のカップリングレンズ（ＣＬ２）２０２で所定の発散光（または収束光）に変換され、第一のビームスプリッタ（ＢＳ１）１０３で反射され、さらに第一のカップリングレンズ（ＣＬ１）１０２により所定の発散光（または収束光）に変換される。この時、第一のカップリングレンズ（ＣＬ１）１０２を出た光の発散角（または収束角）は、前記対物レンズ（ＯＬ）１０６の特性と第二の光源（ＬＤ２）２０１で記録・再生されるべき第二の光ディスク２０７の透明基板の基板厚により決まる。第一のカップリングレンズ（ＣＬ１）１０２を通過した光は第二のビームスプリッタ（ＢＳ２）１０４を透過し、偏向プリズム（ＤＰ）１０５で光路を４５度偏向され、対物レンズ（ＯＬ）１０６に入射し、第二の光源（ＬＤ２）２０１で記録再生されるべき光ディスク（２０７）の透明基板を透過し記録面上に微小スポットとして集光される。そして、集光されたスポットにより、情報の再生、記録あるいは消去が行われる。第二の光ディスク２０７の記録面で反射した光束は、対物レンズ（ＯＬ）１０６により再び所定の発散光（または収束光）とされ、偏向プリズム（ＤＰ）１０５で偏向され、第二のビームスプリッタ（ＢＳ２）１０４で反射され、集光レンズ（ＤＬ）１０８で集光されて受光素子（ＰＤ）１０９に至る。受光素子（ＰＤ）１０９からは、情報信号、サーボ信号（フォーカス・サーボ信号、トラック・サーボ信号）が検出される。
【００１９】
図１に示す例では、検出系が共通となっており、図４の構成に比べて部品数が少なく、光ピックアップ装置の小型化が図られている。
ここで、第一のカップリングレンズ（ＣＬ１）１０２は第一の光源（ＬＤ１）１０１からの発散光を記録・再生に必要な所望のカップリング効率にカップリングできる焦点距離に設定されている。また、第二のカップリングレンズ（ＣＬ２）２０２は第一のカップリングレンズ（ＣＬ１）１０２と組み合わせて２群２枚のレンズ系をなし、第二の光源（ＬＤ２）２０１からの発散光を記録・再生に必要な所望のカップリング効率にカップリングできる焦点距離に設定されている。
【００２０】
上記の実施例１において、ＤＶＤ（第一の光ディスク１０７に相当）とＣＤ（第二の光ディスク２０７に相当）のように、光ディスクの基板厚が異なる場合の互換方法としては、対物レンズ（ＯＬ）１０６として、一般的に知られている基板厚互換の回折レンズ（特許文献１参照）を用いたり、開口制限フィルターと通常の対物レンズとの組み合わせ（特許文献２参照）などを用いる。また、開口制限フィルターと通常の対物レンズの組み合わせを用いる場合は、特許文献３に示されるように、第二のカップリングレンズに所定の画角に比例する収差（コマ収差）を持たせる構成も考えられる。
【００２１】
（実施例２）
図２は本発明の第二の実施例を示す図であり、規格の異なる２種類の光ディスクに対して情報の記録または再生または消去を行うことができる光情報記録再生装置（光ディスクドライブ装置）に搭載される２波長を用いた光ピックアップ装置の概略構成図である。
図２において、この光ピックアップ装置は波長の異なる２つの光源を備えており、第一の光源である半導体レーザー（ＬＤ１）１０１から出射した発散光は、第一のビームスプリッタ（ＢＳ１）１０３を透過し、第二のビームスプリッタ（ＢＳ２）１０４を透過し、第一のカップリングレンズ（ＣＬ１）１０２で平行光に変換され、偏向プリズム（ＤＰ）１０５で光路を４５度偏向され、対物レンズ（ＯＬ）１０６に入射し、第一の光源（ＬＤ１）１０１で記録・再生されるべき第一の光ディスク１０７の透明基板を透過し記録面上に微小スポットとして集光される。ここで、対物レンズ（ＯＬ）１０６は平行光に対して最適化されており、その対物レンズ（ＯＬ）１０６により集光されたスポットにより情報の再生、記録あるいは消去が行われる。第一の光ディスク１０７の記録面で反射した光束は、対物レンズ（ＯＬ）１０６により再び平行光とされ、偏向プリズム（ＤＰ）１０５で偏向され、第一のカップリングレンズ（ＣＬ１）１０２で収束光とされ、第二のビームスプリッタ（ＢＳ２）１０４で反射され、集光レンズ（ＤＬ）１０８で集光されて受光素子（ＰＤ）１０９に至る。受光素子（ＰＤ）１０９からは、情報信号、サーボ信号（フォーカス・サーボ信号、トラック・サーボ信号）が検出される。
【００２２】
次に、第二の光源である半導体レーザー（ＬＤ２）２０１から出射した発散光は、第二のカップリングレンズ（ＣＬ２）２０２で所定の発散光（または収束光）に変換され、第一のビームスプリッタ（ＢＳ１）１０３で反射され、第二のビームスプリッタ（ＢＳ２）１０４を透過し、第一のカップリングレンズ（ＣＬ１）１０２により平行光に変換され、偏向プリズム（ＤＰ）１０５で光路を４５度偏向され、対物レンズ（ＯＬ）１０６に入射し、第二の光源（ＬＤ２）２０１で記録再生されるべき光ディスク（２０７）の透明基板を透過し記録面上に微小スポットとして集光される。そして、集光されたスポットにより、情報の再生、記録あるいは消去が行われる。第二の光ディスク２０７の記録面で反射した光束は、対物レンズ（ＯＬ）１０６により再び略平行光とされ、偏向プリズム（ＤＰ）１０５で偏向され、第一のカップリングレンズ（ＣＬ１）１０２で収束光とされ、第二のビームスプリッタ（ＢＳ２）１０４で反射され、集光レンズ（ＤＬ）１０８で集光されて受光素子（ＰＤ）１０９に至る。受光素子（ＰＤ）１０９からは、情報信号、サーボ信号（フォーカス・サーボ信号、トラック・サーボ信号）が検出される。
【００２３】
図２に示す例では、検出系が共通となっており、図４の構成に比べて部品数が少なく、光ピックアップ装置の小型化が図られている。
ここで、第一のカップリングレンズ（ＣＬ１）１０２は第一の光源（ＬＤ１）１０１からの発散光を平行光にコリメートすると共に記録・再生に必要な所望のカップリング効率にカップリングできる焦点距離に設定されている。また、第二のカップリングレンズ（ＣＬ２）２０２は第一のカップリングレンズ（ＣＬ１）１０２と組み合わせて２群２枚のレンズ系をなし、第二の光源（ＬＤ２）２０１からの発散光を平行光にコリメートすると共に記録・再生に必要な所望のカップリング効率にカップリングできる焦点距離に設定されている。
【００２４】
尚、上記の実施例２においても、ＤＶＤ（第一の光ディスク１０７に相当）とＣＤ（第二の光ディスク２０７に相当）のように、光ディスクの基板厚が異なる場合の互換方法としては、実施例１と同様に、対物レンズ（ＯＬ）１０６として、一般的に知られている基板厚互換の回折レンズを用いた構成、開口制限フィルターと通常の対物レンズとの組み合わせを用いた構成などが考えられる。
【００２５】
（実施例３）
図３は本発明の第三の実施例を示す図であり、規格の異なる２種類の光ディスクに対して情報の記録または再生または消去を行うことができる光情報記録再生装置（光ディスクドライブ装置）に搭載される２波長を用いた光ピックアップ装置の概略構成図である。
図３において、この光ピックアップ装置は波長の異なる２つの光源を備えており、且つ光源と受光素子が単一ユニット内に構成されている光源ユニット１１０，２１０を用いた構成となっている。
【００２６】
図３において、第一の光源ユニット１１０内の第一の光源である半導体レーザー（ＬＤ１）１０１から出射した発散光は、第一のホログラム（ＨＯ１）１１１を透過し、第一のビームスプリッタ（ＢＳ１）１０３を透過し、偏向プリズム（ＤＰ）１０５で光路を４５度偏向され、第一のカップリングレンズ（ＣＬ１）１０２で平行光または所定の発散光（または収束光）に変換され、対物レンズ（ＯＬ）１０６に入射し、第一の光源（ＬＤ１）１０１で記録・再生されるべき第一の光ディスク１０７の透明基板を透過し記録面上に微小スポットとして集光される。そして、その集光されたスポットにより、情報の再生、記録あるいは消去が行われる。第一の光ディスク１０７の記録面で反射した光束は、対物レンズ（ＯＬ）１０６により再び平行光または所定の発散光（または収束光）とされ、第一のカップリングレンズ（ＣＬ１）１０２で収束光とされ、偏向プリズム（ＤＰ）１０５で偏向され、第一のビームスプリッタ（ＢＳ１）１０３を透過し、第一のホログラム（ＨＯ１）１１１で回折され、ＬＤ１チップと同一の光源ユニット１１０内に実装された第一の受光素子（ＰＤ１）１１２に至る。第一の受光素子（ＰＤ１）１１２からは、情報信号、サーボ信号（フォーカス・サーボ信号、トラック・サーボ信号）が検出される。
【００２７】
次に、第二の光源ユニット２１０内の第二の光源である半導体レーザー（ＬＤ１）２０１から出射した発散光は、第二のホログラム（ＨＯ２）２１１を透過し、第二のカップリングレンズ（ＣＬ２）２０２で発散傾向が変換され、第一のビームスプリッタ（ＢＳ１）１０３で反射され、偏向プリズム（ＤＰ）１０５で光路を４５度偏向され、第一のカップリングレンズ（ＣＬ１）１０２で平行光または所定の発散光（または収束光）に変換され、対物レンズ（ＯＬ）１０６に入射し、第二の光源（ＬＤ２）２０１で記録・再生されるべき第二の光ディスク２０７の透明基板を透過し記録面上に微小スポットとして集光される。そして、その集光されたスポットにより、情報の再生、記録あるいは消去が行われる。第二の光ディスク２０７の記録面で反射した光束は、対物レンズ（ＯＬ）１０６により再び平行光または所定の発散光（または収束光）とされ、第一のカップリングレンズ（ＣＬ１）１０２で収束光とされ、偏向プリズム（ＤＰ）１０５で偏向され、第一のビームスプリッタ（ＢＳ１）１０３で反射され、第二のカップリングレンズ（ＣＬ２）２０２で収束傾向が変換され、第二のホログラム（ＨＯ２）２１１で回折され、ＬＤ２チップと同一の光源ユニット２１０内に実装された第二の受光素子（ＰＤ２）２１２に至る。第二の受光素子（ＰＤ２）２１２からは、情報信号、サーボ信号（フォーカス・サーボ信号、トラック・サーボ信号）が検出される。
【００２８】
図３に示す例では、光源と受光素子が単一ユニット内に構成されている光源ユニット１１０，２１０を用いた構成となっており、図４の構成に比べて部品数が少なく、光ピックアップ装置の小型化が図られている。
ここで、第一のカップリングレンズ（ＣＬ１）１０２は第一の光源（ＬＤ１）１０１からの発散光を記録・再生に必要な所望のカップリング効率にカップリングできる焦点距離に設定されている。また、第二のカップリングレンズ（ＣＬ２）２０２は第一のカップリングレンズ（ＣＬ１）１０２と組み合わせて２群２枚のレンズ系をなし、第二の光源（ＬＤ２）２０１からの発散光（または収束光）を記録・再生に必要な所望のカップリング効率にカップリングできる焦点距離に設定されている。
【００２９】
尚、上記の実施例３においても、ＤＶＤ（第一の光ディスク１０７に相当）とＣＤ（第二の光ディスク２０７に相当）のように、光ディスクの基板厚が異なる場合の互換方法としては、実施例１と同様に、対物レンズ（ＯＬ）１０６として、一般的に知られている基板厚互換の回折レンズを用いた構成、開口制限フィルターと通常の対物レンズとの組み合わせを用いた構成などが考えられる。
【００３０】
（実施例４）
次に第四の実施例としては、上記の実施例１〜３に記載の光ピックアップ装置において、第二カップリングレンズ（ＣＬ２）２０２の第一面と第二面の少なくとも一方が球面である構成とするものである。
これは、第一カップリングレンズ（ＣＬ１）１０２と第二カップリングレンズ（ＣＬ２）２０２の軸ずれに対する波面劣化を抑制する構成の一例であり、第二カップリングレンズ（ＣＬ２）２０２の第一面と第二面の少なくとも一方を球面で構成する、すなわち第二カップリングレンズ（ＣＬ２）２０２を球面レンズ（両凸レンズ、平凸レンズ、メニスカスレンズ等）で構成することにより、第一と第二のカップリングレンズの光軸ずれ許容値を広げることができる。
【００３１】
（実施例５）
次に第五の実施例としては、上記の実施例１〜３に記載の光ピックアップ装置において、第一の光源の波長が最も短い構成とするものである。
波長の異なる光源を用いる光ディスクシステム（例えば、ＤＶＤとＣＤ）では、波長の短いシステムの方が光ディスクの記憶容量を大きくするために、対物レンズ（ＯＬ）に高開口数（高ＮＡ）のレンズを用いている。また、光ディスクのチルトによる波面の劣化（コマ収差の増加）は開口数（ＮＡ）の３乗で効くので、それに対処するため、ＣＤ系の光ディスクよりもＤＶＤ系の光ディスクの方が基板厚が薄くなっている。次世代の青色レーザーを用いる光ディスクでは、さらに高密度が期待されているので、ＮＡはさらに高くなり、基板厚はさらに薄くなることが予想される。このように波長ごとに対物レンズのＮＡが異なる場合、ＮＡの大きな光学系ほど各光学素子単体や光学素子の位置ずれに対してその制約が厳しくなるので、上記の実施例１〜３に記載の光ピックアップ装置のように、波長の異なる２つの光源を備えた光ピックアップ装置では、ＮＡの最も大きな光学系、すなわち最も短波長の光源側の光学系が最もシンプルな構成になるように、最も短波長の光源である第一の光源（ＬＤ１）１０１用の光学系が１枚のカップリングレンズ（またはコリメートレンズ）１０２で構成され、第二の光源（ＬＤ２）２０１以降の光学系が、第一の光源用のカップリングレンズ（またはコリメートレンズ）（ＣＬ１）１０２ともう一枚のカップリングレンズ（ＣＬ２）２０２を組み合わせて２群２枚のレンズ系をなす構成とすることが望ましい。
そして、このように、第一の光源（ＬＤ１）１０１の波長を最も短くして、精度の厳しい短波長側の光学系の部品点数を少なくすることにより、短波長側の光学系の特性劣化を抑制することが可能となる。
【００３２】
（実施例６）
上記の実施例１〜５に示した構成の光ピックアップ装置は、既存の２波長対応の光情報記録再生装置（例えばＣＤ／ＤＶＤ共用の光ディスクドライブ装置）の光ピックアップ装置として搭載することができる。そして、このように複数光源で記録・再生可能であり且つ小型の光ピックアップ装置を搭載することにより、既存の資産（ＣＤ、ＤＶＤ互換機等のメカ）を生かせるドライブ設計が可能となる。
【００３３】
尚、光情報記録再生装置（光ディスクドライブ装置）の一例としては、図示を省略するが、実施例１〜５（図１〜３）のいずれかに示した構成の光ピックアップ装置と、その光ピックアップ装置を搭載するキャリッジと、そのキャリッジを光ディスクの半径方向に移動するキャリッジ・アクチュエータおよびその制御部（キャリッジ制御部）と、第一、第二の光源（半導体レーザーＬＤ１，ＬＤ２）１０１，２０１をそれぞれ駆動制御する駆動部（ＬＤ制御部）と、光ディスク１０７（または２０７）を回転させる回転機構（スピンドルモータ）およびその制御部（スピンドル制御部）と、検出系で検出したフォーカス・サーボ信号を元に対物レンズ１０６のフォーカス・アクチュエータを駆動するフォーカス制御部と、検出系で検出したトラック・サーボ信号を元に対物レンズ１０６のトラック・アクチュエータを駆動するトラック制御部と、光ディスクに記録された情報を再生する信号再生部（信号複調部）と、光ディスクの種類を識別する識別部（光ディスク判別機構）と、光ディスクドライブ装置全体を制御する中央制御部などを備えた構成がある。また、追記型光ディスク（ＣＤ−Ｒ，ＤＶＤ−Ｒ等）または書換型光ディスク（ＣＤ−ＲＷ，ＤＶＤ−ＲＷ等）対応の装置の場合には、上記構成に加えて、外部から入力された情報を、光ディスクに記録する信号に変換する信号処理部等を備えた構成となる。
【００３４】
【発明の効果】
以上説明したように、請求項１記載の光ピックアップ装置では、第一の光学系のカップリング効率を満足する第一のカップリングレンズを第二の光学系と共通化することにより光学系を小型化することができ、第二のカップリングレンズにより、第二の光学系のカップリング効率を満足させることにより、複数光源で記録・再生可能な小型な光ピックアップ装置を実現することができる。
また、請求項２記載の光ピックアップ装置では、請求項１の構成および効果に加え、第二の光源からの発散光を平行光にコリメートすることにより、設計の自由度を広げることができる。
【００３５】
請求項３記載の光ピックアップ装置では、請求項１または２の構成および効果に加え、第二のカップリングレンズの第一面と第二面の少なくとも一方が球面である構成とすることにより、第一と第二のカップリングレンズの光軸ずれ許容値を広げることができる。
また、請求項４記載の光ピックアップ装置では、請求項１〜３のいずれか一つの構成および効果に加え、光源と受光素子が単一ユニット内に構成されている光源ユニットを用いることにより、照明系と検出系が同一光路になるので、光学系がシンプルとなり、光ピックアップ装置をより小型化することができる。
さらに請求項５記載の光ピックアップ装置では、請求項１〜４のいずれか一つの構成および効果に加え、第一の光源の波長を最も短くして、精度の厳しい短波長側の光学系の部品点数を少なくすることにより、短波長側の光学系の特性劣化を抑制することができる。
【００３６】
請求項６記載の光情報記録再生装置では、請求項１〜５のいずれか一つに記載の光ピックアップ装置を搭載したことを特徴とするものであり、このように、複数光源で記録・再生可能であり且つ小型の光ピックアップ装置を搭載することにより、既存の資産（ＣＤ、ＤＶＤ互換機等のメカ）を生かせるドライブ設計が可能となり、コストの安い光情報記録再生装置を提供することができる。
【図面の簡単な説明】
【図１】本発明の第一の実施例を示す光ピックアップ装置の概略構成図である。
【図２】本発明の第二の実施例を示す光ピックアップ装置の概略構成図である。
【図３】本発明の第三の実施例を示す光ピックアップ装置の概略構成図である。
【図４】従来の２波長を用いた光ピックアップ装置の構成例を示す概略構成図である。
【符号の説明】
１０１      第一の光源（半導体レーザー（ＬＤ１））
１０２      第一のカップリングレンズ（ＣＬ１）
１０３      第一のビームスプリッタ（ＢＳ１）
１０４      第二のビームスプリッタ（ＢＳ２）
１０５      偏向プリズム（ＤＰ）
１０６      対物レンズ（ＯＬ）
１０７      第一の光ディスク（光記録媒体）
１０８      集光レンズ（ＤＬ）
１０９      受光素子（ＰＤ）
１１０      第一の光源ユニット
１１１      第一のホログラム（ＨＯ１）
１１２      第一の受光素子（ＰＤ１）
２０１      第二の光源（半導体レーザー（ＬＤ２））
２０２      第二のカップリングレンズ（ＣＬ２）
２１０      第二の光源ユニット
２１１      第二のホログラム（ＨＯ２）
２１２      第二の受光素子（ＰＤ２）
【図１】
2004164803.tif 000003
【図２】
2004164803.tif 000004
【図３】
2004164803.tif 000005
【図４】
2004164803.tif 000006